(57)【特許請求の範囲】
【請求項１】
画像を表示する表示モジュールと、
前記表示モジュールを冷却するファンと、
前記表示モジュールの周囲の温度に対応する検出値を取得する第１の温度センサと、
前記表示モジュールの駆動電圧、駆動電流、消費電力、輝度設定値のうち少なくともいずれかを含む熱量パラメータと、前記第１の温度センサによる検出値と、制御期間とを関連付けた情報を格納する記憶媒体と、
前記ファンの回転速度を制御する制御手段と、
を備え、
前記制御手段は、
所定の信号が入力されたことに応じて、前記ファンの回転速度を第１の回転速度から、前記第１の回転速度よりも小さい第２の回転速度に変更し、かつ、前記所定の信号が入力されたタイミングにおける前記表示モジュールの前記熱量パラメータと前記第１の温度センサによる前記検出値と前記情報とに基づいて前記ファンの回転速度を前記第２の回転速度に制御する第１の期間を決定し、
前記ファンの回転速度を前記第１の回転速度から前記第２の回転速度に変更してから、前記第１の期間が経過したことに応じて、前記ファンの回転速度を前記第２の回転速度から、前記第２の回転速度よりも大きい第３の回転速度に変更することを特徴とする画像表示装置。
【請求項２】
前記制御期間は、前記ファンの回転速度を前記第１の回転速度から前記第２の回転速度に変更したあとで、前記表示モジュールの少なくとも一部の温度が所定の閾値に到達するまでの期間であることを特徴とする請求項１に記載の画像表示装置。
【請求項３】
前記第２の回転速度は、０であることを特徴とする請求項１または２に記載の画像表示装置。
【請求項４】
前記第３の回転速度は、前記第１の回転速度と同じであることを特徴とする請求項１乃至請求項３のいずれか１項に記載の画像表示装置。
【請求項５】
前記第３の回転速度は、前記第１の回転速度よりも大きいことを特徴とする請求項１乃至請求項３のいずれか１項に記載の画像表示装置。
【請求項６】
前記制御手段は、前記所定の信号が入力されたことに応じて、前記第１の温度取得手段が取得した前記検出値に基づいて前記第１の期間を決定することを特徴とする請求項１乃至請求項５のいずれか１項に記載の画像表示装置。
【請求項７】
前記制御手段は、前記第１の期間が経過したことに応じて、少なくとも前記検出値に応じて決定される第２の期間だけ前記第３の回転速度で前記ファンを動作させ、前記第２の期間が経過したことに応じて、前記第１の回転速度で前記冷却ファンを動作させることを特徴とする請求項１乃至請求項６のいずれか１項に記載の画像表示装置。
【請求項８】
前記制御手段は、さらに前記第２の期間中に前記検出値を取得し、取得した前記検出値に応じて前記第３の回転速度と前記第２の期間とを変更することを特徴とする請求項７に記載の画像表示装置。
【請求項９】
前記制御手段は、前記検出値および前記熱量パラメータと前記冷却ファンの回転速度とを関連付けた動作情報、前記検出値、および前記熱量パラメータに基づいて、前記冷却ファンの回転速度を制御することを特徴とする請求項１乃至請求項８のいずれか１項に記載の画像表示装置。
【請求項１０】
前記表示モジュールは、
画像を表示する液晶パネルと、
前記液晶パネルに光を照射するバックライトユニットと
を備えることを特徴とする請求項１乃至請求項９のいずれか１項に記載の画像表示装置。
【請求項１１】
前記画像表示装置は、撮像した画像の記録を開始したことに応じて記録信号を出力する撮像装置と接続しており、
前記所定の信号は、前記撮像装置から入力された前記記録信号であることを特徴とする請求項１乃至請求項１０のいずれか１項に記載の画像表示装置。
【請求項１２】
ユーザの操作に応じて前記所定の信号を出力する操作手段を備えることを特徴とする請求項１乃至請求項１１のいずれか１項に記載の画像表示装置。
【請求項１３】
前記表示モジュールの温度を取得する第２の温度センサを備え、
前記制御手段が前記ファンを前記第２の回転速度で動作させている状態で、前記第２の温度センサが検出した温度が、所定の温度を超えた場合に、前記制御手段は前記ファンを前記第３の回転速度で制御することを特徴とする請求項１乃至請求項１２のいずれか１項に記載の画像表示装置。
【請求項１４】
画像を表示する表示モジュールと、
回転により前記表示モジュールを冷却するファンと、
前記表示モジュールの周囲の温度に対応する検出値を取得する第１の温度取得センサと
前記表示モジュールの駆動電圧、駆動電流、消費電力、輝度設定値のうち少なくともいずれかを含む熱量パラメータと、前記第１の温度センサによる検出値と、制御期間とを関連付けた情報を格納する記憶媒体と、
を備える画像表示装置の制御方法であって、
所定の信号を受信したことに応じて、前記ファンの回転速度を第１の回転速度から前記第１の回転速度よりも小さい第２の回転速度に変更し、かつ、前記所定の信号が入力されたタイミングにおける前記表示モジュールの前記熱量パラメータと前記第１の温度センサによる前記検出値と前記情報とに基づいて前記ファンの回転速度を前記第２の回転速度に制御する第１の期間を決定し、
前記ファンの回転速度を前記第１の回転速度から前記第２の回転速度に変更してから前記検出値に応じて決定される第１の期間が経過したことに応じて、前記ファンの回転速度を前記第２の回転速度から、前記第２の回転速度よりも大きい第３の回転速度に変更することを特徴とする画像表示装置の制御方法。
【発明の詳細な説明】
【技術分野】
【０００１】
本発明は、画像を表示する表示モジュールと表示モジュールを冷却する冷却ファンとを備える画像表示装置及びその制御方法に関する。
【背景技術】
【０００２】
液晶パネル等の表示パネルを用いた表示モジュールと、表示モジュールを制御する表示制御回路と、表示モジュールおよび表示制御回路とを冷却する冷却ファンとを備える画像表示装置がある。
【０００３】
このような画像表示装置において、表示モジュールに画像を表示する場合、表示制御回路から熱が発生し、表示モジュールや表示制御回路を加熱する。表示制御回路に使用される電子部品が高温になると、電子部品の動作が正常に行われない懸念がある。表示モジュールおよび表示制御回路とを所望の温度に冷却するために、冷却ファンが回転し、表示モジュールおよび表示制御回路に空気を送る。このとき、冷却ファンの回転により、音が発せられる。
【０００４】
特許文献１には、収録開始動作やユーザによるボタン操作をトリガとして冷却ファンを停止させ、電子装置内の電子部品近傍に設けられた温度センサが検出した温度が、所定の閾値を超えた場合に、冷却ファンの回転を再開させる記録装置が開示されている。これにより、収録時等、必要でない音の影響を低減させたい場合に、冷却ファンから発生する音を低減させ、かつ、温度センサが設けられた電子部品が高温になることを抑制することが可能となる。
【先行技術文献】
【特許文献】
【０００５】
【特許文献１】特開２００７−００４８７２号公報
【発明の概要】
【発明が解決しようとする課題】
【０００６】
しかしながら、上述した従来の技術では、画像表示装置内で、高電圧で使用されるために温度センサを設置できない電子部品の温度が検知できない場合に、当該電子部品が高温となってしまう懸念があった。
【０００７】
そこで、本発明は、上記課題に鑑みて、電子部品の近傍に温度センサを設けない場合においても、冷却ファンから発生する音を抑制し、かつ、画像表示装置内の電子部品が高温になることを抑制することが可能な画像表示装置を提供することを目的とする。
【課題を解決するための手段】
【０００８】
上述した課題を解決するために、本発明に係る画像表示装置は、画像を表示する表示モジュールと、前記表示モジュールを冷却するファンと、前記表示モジュールの周囲の温度に対応する検出値を取得する第１の温度センサと、前記表示モジュールの駆動電圧、駆動電流、消費電力、輝度設定値のうち少なくともいずれかを含む熱量パラメータと、前記第１の温度センサによる検出値と、制御期間とを関連付けた情報を格納する記憶媒体と、前記ファンの回転速度を制御する制御手段と、を備え、前記制御手段は、所定の信号が入力されたことに応じて、前記ファンの回転速度を第１の回転速度から、前記第１の回転速度よりも小さい第２の回転速度に変更し、かつ、前記所定の信号が入力されたタイミングにおける前記表示モジュールの前記熱量パラメータと前記第１の温度センサによる前記検出値と前記情報とに基づいて前記ファンの回転速度を前記第２の回転速度に制御する第１の期間を決定し、前記ファンの回転速度を前記第１の回転速度から前記第２の回転速度に変更してから、前記第１の期間が経過したことに応じて、前記ファンの回転速度を前記第２の回転速度から、前記第２の回転速度よりも大きい第３の回転速度に変更することを特徴とする。
【００１０】
本発明に係る画像表示装置の制御方法は、画像を表示する表示モジュールと、回転により前記表示モジュールを冷却するファンと、前記表示モジュールの周囲の温度に対応する検出値を取得する第１の温度取得センサと前記表示モジュールの駆動電圧、駆動電流、消費電力、輝度設定値のうち少なくともいずれかを含む熱量パラメータと、前記第１の温度センサによる検出値と、制御期間とを関連付けた情報を格納する記憶媒体と、を備える画像表示装置の制御方法であって、所定の信号を受信したことに応じて、前記ファンの回転速度を第１の回転速度から前記第１の回転速度よりも小さい第２の回転速度に変更し、かつ、前記所定の信号が入力されたタイミングにおける前記表示モジュールの前記熱量パラメータと前記第１の温度センサによる前記検出値と前記情報とに基づいて前記ファンの回転速度を前記第２の回転速度に制御する第１の期間を決定し、前記ファンの回転速度を前記第１の回転速度から前記第２の回転速度に変更してから前記検出値に応じて決定される第１の期間が経過したことに応じて、前記ファンの回転速度を前記第２の回転速度から、前記第２の回転速度よりも大きい第３の回転速度に変更することを特徴とする。
【発明の効果】
【００１１】
本発明の画像表示装置は、表示モジュールの周囲の環境温度に応じて冷却ファンの回転速度を小さくする動作モードで冷却ファンを動作する静音期間を決定し、静音期間の間の冷却ファンの回転速度を小さくする。従って、電子部品の近傍に温度センサを設けない場合においても、冷却ファンから発生する音を抑制し、かつ、画像表示装置内の電子部品が高温になることを抑制することが可能となる。
【図面の簡単な説明】
【００１２】
【図１】本発明に係る画像表示装置１００の分解斜視図である。
【図２】画像表示装置１００の機能ブロックを示したブロック図である。
【図３】第１の実施例におけるファン制御回路基板３のファン動作制御フローを示したフローチャートである。
【図４】通常動作モードにおける、環境温度および消費電力と、冷却ファン２の駆動条件とを関連付けた通常動作情報を示した図である。
【図５】静音動作モードにおける、環境温度および消費電力と、静音期間とを関連付けた静音期間情報を示した図である。
【図６】第１の実施例の制御フローに基づいて冷却ファン２を制御した場合における、電子部品１４の温度変化を示した模式図である。
【図７】冷却ファン２を停止した場合における、電子部品１４の温度変化を示した模式図である。
【図８】環境温度および消費電力と強冷却期間とを関連付けた強冷却期間情報を示した図である。
【図９】強冷却動作モードにおける、環境温度および消費電力と、冷却ファン２の駆動条件とを関連付けた冷却動作情報を示した図である。
【図１０】第２の実施例の制御フローに基づいて冷却ファン２を制御した場合における、電子部品１４の温度変化を示した模式図である。
【図１１】第３の実施例におけるファン制御回路基板３のファン制御フローをしめすフローチャートである。
【図１２】第３の実施例の制御フローに基づいて冷却ファン２を制御した場合における、電子部品１４の温度変化を示した模式図である。
【発明を実施するための形態】
【００１３】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。即ち、各実施例及びその変形例を組み合わせた構成も全て本発明に含まれるものである。
【００１４】
（第１の実施例）
図１は、本発明に係る画像表示装置１００の分解斜視図である。図２は、画像表示装置１００の機能ブロックを示したブロック図である。画像表示装置１００は、表示モジュール１、冷却ファン２、ファン制御回路基板３、環境温度センサ４、および筐体５を備える。表示モジュール１は、液晶パネル６、バックライトユニット７、および表示制御回路基板８を備える。
【００１５】
液晶パネル６は、個別に光の透過率を制御可能な液晶素子を複数有しており、入力された画像に応じて表示制御回路基板８に各液晶素子の透過率を制御される。液晶パネル６は、後述するバックライトユニット７から照射された光の一部を透過して、画像を表示する。液晶パネル６は、液晶素子でなく、Ｍｉｃｒｏ  Ｅｌｅｃｔｒｏ  Ｍｅｃｈａｎｉｃａｌ  Ｓｙｓｔｅｍｓ（ＭＥＭＳ）素子を用いた透過型の表示パネルであってもよい。
【００１６】
バックライトユニット７は、光源基板９、光学シート１０、バックライト筐体１１、バックライト輝度センサ１２、およびバックライト温度センサ１３を備える。光源基板９は、複数の光源が配置された基板である。第１の実施例において、光源は、Ｌｉｇｈｔ−Ｅｍｉｔｔｉｎｇ  Ｄｉｏｄｅ（ＬＥＤ）光源である。光源基板９に配置される光源はＬＥＤ光源でなく、冷陰極管を用いた光源であってもよい。光源から発せられた光は、光学シート１０に照射される。
【００１７】
光学シート１０は、光源から照射された光を拡散もしくは偏光させて、液晶パネル６側に照射させるシート状の部材である。光学シート１０は、液晶パネル６に照射される光の特性が所望の特性を満たすように、材質や形状が選択される。
【００１８】
バックライト筐体１１は、液晶パネル６側に開口を設けられた箱状の筐体であって、光源基板９と光学シート１０とを収容する。光源から照射された光が、光学シート１０を経由して液晶パネル６に照射されるように、バックライト筐体１１に光源基板９と光学シート１０が配置される。
【００１９】
バックライト輝度センサ１２は、光源から発せられた光の輝度を測定する輝度センサであって、光源基板９の光学シート１０に対向する面に配置される。バックライト輝度センサ１２は、光源から発せられた光の輝度を測定し、表示制御回路基板８に出力する。バックライト温度センサ１３は、光源基板９上に配置された温度センサであり、光源基板９の温度を測定し、表示制御回路基板８に出力する。
【００２０】
表示制御回路基板８は、液晶パネル６およびバックライトユニット７と接続し、液晶パネル６およびバックライトユニット７の動作を制御する回路や、液晶パネル６およびバックライトユニット７に電力を供給する回路を備える回路基板である。表示制御回路基板８は、バックライトユニット７の背面側に配置される。表示制御回路基板８は、電子部品１４と、電子部品１４が消費する電力を検出する電力検出器１５とを備える。
【００２１】
電子部品１４は、液晶パネル６およびバックライトユニット７の動作を制御するために用いられる電子部品、もしくは液晶パネル６およびバックライトユニット７に電力を供給するために用いられる電子部品である。すなわち、電子部品１４は、Ｆｉｅｌｄ‐Ｐｒｏｇｒａｍｍａｂｌｅ  Ｇａｔｅ  Ａｒｒａｙ（ＦＰＧＡ）などの集積回路、電解コンデンサ、および電源トランス等を含む。電力検出器１５は、電子部品１４が消費する消費電力を検出し、ファン制御回路基板３に出力する。
【００２２】
表示制御回路基板８は、入力された画像信号に応じて、液晶パネル６の各液晶素子の透過率を制御し、バックライトユニット７の発光輝度を制御する。また、バックライト輝度センサ１２から出力された輝度や、バックライト温度センサ１３から出力された光源基板９の温度に応じて、バックライトユニット７の発光輝度や、液晶パネル６の透過率を補正する。
【００２３】
冷却ファン２は、表示モジュール１の背面側に配置され、画像表示装置１００外部から表示モジュール１へ空気を送り、表示モジュール１を冷却する冷却手段である。ただし、画像表示装置１００の内部の空気を冷却ファン２で外部に排気することにより、表示モジュール１を冷却する構成であってもよい。冷却ファン２は、表示モジュール１に固定されてもよく、また筐体５に固定されていてもよい。
【００２４】
冷却ファン２は、羽根の回転により表示モジュール１へ空気を送ることが可能であればよく、軸流ファンやシロッコファン等、送風する方式は問わない。また、冷却ファン２は、駆動電圧により回転速度を制御可能であり、駆動する電源の種類は、直流電源、交流電源を問わない。冷却ファン２は、複数配置されていてもよい。冷却ファン２が回転することにより、周囲に風切り音や、駆動時の摩擦による音等が発生する。これらの音は、冷却ファン２の回転速度が大きいほど、大きくなる。
【００２５】
ファン制御回路基板３は、表示モジュール１の背面側に配置され、冷却ファン２の動作を制御する回路を備える。また、ファン制御回路基板３は、ファン制御回路基板３上に配置された不揮発性の記録媒体である記憶部１６を備える。ファン制御回路基板３は、冷却ファン２の回転速度を制御する。回転速度は、冷却ファン２の単位時間当たりの回転数を示す量である。
【００２６】
第１の実施例において、ファン制御回路基板３は、通常動作モードと静音動作モードとのいずれかの動作モードで、冷却ファン２の動作を制御する。また、ファン制御回路基板３は、環境温度センサ４が測定した画像表示装置１００の周囲の環境温度と、電力検出器１５が検出した消費電力とに応じて、冷却ファン２の通常動作モードにおける駆動条件を決定する。
【００２７】
ファン制御回路基板３は、環境温度および消費電力と冷却ファン２の駆動条件を関連付けた動作情報を記憶部１６から読み出し、取得した環境温度および消費電力とに基づいて駆動条件を決定する。第１の実施例において駆動条件は、冷却ファン２の駆動電圧である。駆動条件は、冷却ファン２の駆動電圧に限定されず、回転速度であってもよい。
【００２８】
環境温度センサ４は、筐体５に配置された温度センサであって、画像表示装置１００の周囲の環境温度を測定する温度取得手段である。環境温度センサ４は、ファン制御回路基板３に測定した環境温度を出力する。第１の実施例において、環境温度センサ４は筐体５の前面側に配置されているが、画像表示装置１００の周囲の環境温度を測定することが可能であれば位置は任意に選択することが可能である。
【００２９】
筐体５は、表示モジュール１、冷却ファン２、ファン制御回路基板３、および環境温度センサ４を収容する前面側に開口を備える箱型のケースである。筐体５は、フレーム５ａと、背面ケース５ｂとを組み合わせて形成されている。フレーム５ａは、液晶パネル６の画面が露出するように開口が設けられ、表示モジュール１の前面側と側面側を覆う枠状の部材である。また、背面ケース５ｂは、表示モジュール１の背面側に配置され、冷却ファン２とファン制御回路基板３とを収容するケースである。背面ケース５ｂの冷却ファン２に対向する面には、通気口が設けられる。
【００３０】
フレーム５ａに設けられた操作部１７は、ユーザの操作により、モード変更信号をファン制御回路基板３に出力するスイッチである。操作部１７から出力されたモード変更信号は、ファン制御回路基板３に入力される。なお、操作部１７は、筐体５に設けられた物理スイッチには限られない。操作部１７は、表示モジュール１の画面に表示されたＯｎ  Ｓｃｒｅｅｎ  Ｄｉｓｐｌａｙ（ＯＳＤ）の表示を操作することによって、モード変更信号をファン制御回路基板３に出力するものであってもよい。
【００３１】
図２の機能ブロック図に示すように、画像表示装置１００は、カメラ２００と接続している。カメラ２００は、画像を撮像する撮像装置であって、撮像した画像に基づく画像信号を画像表示装置１００に出力する。また、カメラ２００は、撮像した画像の記録を開始したことに応じて、画像表示装置１００に記録信号を出力する。カメラ２００から出力された記録信号をファン制御回路基板３が検出した場合、ファン制御回路基板３は、モード変更信号が入力された場合と同様の処理を行う。
【００３２】
図３は、第１の実施例におけるファン制御回路基板３のファン動作制御フローを示したフローチャートである。ファン制御回路基板３は、静音フラグがＯＦＦか否かを判定する（Ｓ１１）。静音フラグは、モード変更信号を検出したのち、後述する静音期間を経過したか否かを示す信号である。フロー開始時点が静音期間内である場合、強冷却フラグはＯＮとされる。
【００３３】
静音フラグがＯＦＦであった場合（Ｓ１１、Ｙｅｓ）、ファン制御回路基板３は、モード変更信号が検出されているか否かを判定する（Ｓ１２）。静音フラグは、画像表示装置１００の駆動を開始した直後はＯＦＦである。
【００３４】
モード変更信号が検出されない場合（Ｓ１２、Ｎｏ）、ファン制御回路基板３は、冷却ファン２を通常動作モードで動作するように制御する（Ｓ１３）。ファン制御回路基板３は、環境温度と、消費電力とを用いて、通常動作モードにおける冷却ファン２の駆動条件を決定する。
【００３５】
図４は、記憶部１６に記憶された通常動作モードにおける、環境温度および消費電力と、冷却ファン２の駆動条件とを関連付けた通常動作情報を示した図である。第１の実施例において、駆動条件は駆動電圧である。通常動作モードにおいて、環境温度が高いほど、冷却ファン２の駆動電圧は高くなる。また、消費電力が高いほど、冷却ファン２の駆動電圧は高くなる。
【００３６】
通常動作情報は、複数の環境温度および複数の消費電力に対して、事前に測定した発熱量等に基づいて、表示モジュール１の電子部品１４の温度が、電子部品１４の使用上限温度を超えないように予め設定された駆動条件を関連付けた動作情報である。動作情報に記憶される駆動条件は、駆動電圧に限らず、冷却ファン２の回転速度であってもよい。Ｓ１３において、ファン制御回路基板３は、環境温度と、消費電力と、記憶部１６から取得した通常動作情報とを用いて、冷却ファン２の駆動条件を決定し、決定された駆動条件で冷却ファン２を動作させる。
【００３７】
モード変更信号が検出された場合（Ｓ１２、Ｙｅｓ）、ファン制御回路基板３は、冷却ファン２を静音動作モードで動作するように制御する。ファン制御回路基板３は、記憶部１６から、環境温度および消費電力と静音期間を関連付けた静音期間情報を取得し、環境温度および消費電力を用いて、静音期間を決定する（Ｓ１４）。
【００３８】
図５は、静音動作モードにおける、環境温度および消費電力と、静音期間とを関連付けた静音期間情報を示した図である。環境温度、もしくは消費電力が小さいほど、静音期間は長くなる。静音期間は、後述する静音動作モードの駆動条件で表示モジュール１を動作させた場合に、表示モジュール１の電子部品１４の温度が、電子部品１４の使用上限温度を超えないように予め設定された期間である。
【００３９】
静音期間が決定されたのち、ファン制御回路基板３は、冷却ファン２の動作モードを静音動作モードに変更し、静音フラグをＯＮにする（Ｓ１５）。第１の実施例において、静音動作モードは、冷却ファン２を停止させる動作モードである。静音動作モードは、冷却ファン２を停止する動作モードには限られない。静音動作モードは、通常動作モードで動作する冷却ファン２から発せられる音よりも、静音動作モードで動作する冷却ファン２から発せられる音が小さければよく、冷却ファン２の回転速度を通常動作モードよりも小さくする動作モードであってもよい。
【００４０】
また、Ｓ１１において、静音フラグがＯＦＦでない（ＯＮである）と判定された場合（Ｓ１１、Ｎｏ）、ファン制御回路基板３は、モード変更信号が検出されてから、静音期間が経過したか否かを判定する（Ｓ１６）。モード変更信号が検出されてから、静音期間が経過しない場合（Ｓ１６、Ｎｏ）、ファン制御回路基板３は、冷却ファン２を静音動作モードで制御する。
【００４１】
モード変更信号が検出されてから、静音期間が経過した場合（Ｓ１６、Ｙｅｓ）、ファン制御回路基板３は、冷却ファン２の動作モードを通常動作モードに変更し、静音フラグをＯＦＦにする（Ｓ１７）。通常動作モードでの駆動条件の決定方法は、Ｓ１３と同様であるため省略する。言い換えると、モード変更信号が検出されてから、静音期間が経過した場合、ファン制御回路基板３は、静音動作モードで動作する冷却ファン２から発っせられる音よりも大きい音で冷却ファン２を動作させる通常動作モードで冷却ファン２を動作するとも言える。
【００４２】
ファン制御回路基板３は、以上のフローを繰り返し行うことにより、通常動作モードと静音動作モードとを切り換えて冷却ファン２を駆動することが可能となる。なお、上述のフローでは、フロー開始時が静音期間に含まれるか否かを、静音フラグのＯＮ／ＯＦＦで表現したが、静音フラグを用いずに、モード変更信号取得時刻および静音期間の情報から、静音期間に含まれるか否かを判定してもよい。
【００４３】
図６は、上述のフローを用いて冷却ファン２を制御した場合における、電子部品１４の温度変化を示した模式図である。環境温度は一定であるとする。ｔａより前は、静音フラグがＯＦＦであり、かつモード変更信号が検出されていない状態である。したがって、ファン制御回路基板３は、環境温度および消費電力と通常動作情報とに基づいて、通常動作モードで冷却ファン２の動作を制御している。このとき、電子部品１４の温度は、電子部品１４の使用温度の上限値よりも低い温度で定常状態となる。
【００４４】
ｔａで、ファン制御回路基板３がモード変更信号を検出したことに応じて、ファン制御回路基板３は、静音期間を決定し、消費電力と環境温度とを冷却ファン２の動作モードを静音動作モードに変更する。したがって、ファン制御回路基板３は、ｔａから静音期間を経過するｔｂまでの間、冷却ファン２の駆動を停止する。
【００４５】
冷却ファン２が停止することにより、外気が筐体５の内部に流入しないため、ｔａから静音期間を経過するｔｂまでの間、電子部品１４の温度は上昇する。しかし、静音期間は、各環境温度および消費電力に対して電子部品１４の温度が電子部品１４の使用温度の上限値を超えないように決定されているため、静音期間中に上昇した電子部品１４の温度は電子部品１４の使用温度の上限値を超えない。
【００４６】
ｔｂで、モード変更信号を検出したタイミングから静音期間が経過したことに応じて、ファン制御回路基板３は、冷却ファン２の動作モードを静音動作モードから通常動作モードに変更する。通常動作モードで冷却ファン２が動作することにより、静音期間中に上昇した電子部品１４の温度は徐々に低下し、ｔｃでｔａより前の定常状態の温度に到達する。
【００４７】
第１の実施例における画像表示装置によれば、ファン制御回路基板３は、モード変更信号を検出したことに応じて、消費電力と環境温度とを用いて静音動作モードで動作可能な静音期間を決定する。そして、ファン制御回路基板３は、静音期間の間、冷却ファン２を通常動作モードよりも回転速度の小さい静音動作モードで動作するように制御する。したがって、電子部品の近傍に温度センサを設けない場合においても、冷却ファンから発生する音を抑制し、かつ、画像表示装置内の電子部品が高温になることを抑制することが可能となる。
【００４８】
なお、駆動条件や静音期間の決定に用いられる熱量パラメータは消費電力には限られない。熱量パラメータは、表示モジュール１から発生し、電子部品１４や、画像表示装置１００内部を加熱する熱量を示すパラメータであればよく、電子部品１４の駆動電圧もしくは駆動電流を用いることも可能である。また、熱量パラメータは、画像表示装置１００の輝度設定値や、バックライト輝度センサ１２が測定した発光輝度値であってもよい。
【００４９】
また、ファン制御回路基板３は、少なくとも環境温度に基づいて駆動条件を決定し、冷却ファン２の動作を制御することも可能である。このとき、動作情報は、環境温度と駆動条件とを関連付けた動作情報となる。
【００５０】
また、上述のファン駆動制御に加え、装置内に温度センサが設けられている場合、この温度センサの温度検出値に基づいたファンの駆動制御を併用してもよい。たとえばバックライト温度センサ１３の温度検出値が所定の値を超えた場合には、静音期間が経過する前に冷却ファン２の動作モードを通常動作モードに変更する制御フローとしてもよい。
【００５１】
（第２の実施例）
第２の実施例における画像表示装置１００のファン制御回路基板３以外の構成要素は、第１の実施例と同様の構成であるので説明を省略する。第２の実施例において、ファン制御回路基板３は、通常動作モードと静音動作モードと強冷却動作モードとのいずれかの動作モードで、冷却ファン２の動作を制御する。ファン制御回路基板３は、モード変更信号を検出し静音期間が経過したことに応じて、環境温度と消費電力と用いて、強冷却期間と強冷却動作モードにおける冷却ファン２の駆動条件を決定し、冷却ファン２の動作を制御する。
【００５２】
図７は、第２の実施例におけるファン制御回路基板３のファン制御フローをしめすフローチャートである。ファン動作制御フローが開始されると、ファン制御回路基板３は、強冷却フラグがＯＦＦであるか否かを判定する（Ｓ２１）。強冷却フラグは、モード変更信号を検出し、静音期間を経過してから、後述する強冷却期間を経過したか否かを示す信号である。強冷却期間内である場合、強冷却フラグはＯＮとされる。
【００５３】
強冷却フラグがＯＦＦであると判定された場合、Ｓ１１の処理に進む。Ｓ１１からＳ１６までの工程は、第１の実施例と同様であるため、説明を省略する。Ｓ１６で、静音期間が経過したと判定された場合（Ｓ１６、Ｙｅｓ）、ファン制御回路基板３は、冷却ファン２を強冷却動作モードで動作するように制御する。ファン制御回路基板３は、記憶部１６から、環境温度および消費電力と強冷却期間を関連付けた強冷却期間情報を取得し、環境温度および消費電力を用いて、強冷却期間を決定する（Ｓ２２）。
【００５４】
図８は、環境温度および消費電力と強冷却期間とを関連付けた強冷却期間情報を示した図である。環境温度、もしくは消費電力が高いほど、強冷却期間は長くなる。強冷却期間は、後述する強冷却動作モードの駆動条件で冷却ファン２を動作させた場合に、電子部品１４の温度が通常動作モードでの定常状態の温度に到達するまでの時間に基づいて予め設定された期間である。
【００５５】
強冷却期間が決定されたのち、ファン制御回路基板３は、冷却ファン２の動作モードを強冷却動作モードに変更し、強冷却フラグをＯＮにし、さらに静音フラグをＯＦＦにする（Ｓ２３）。
【００５６】
図９は、強冷却動作モードにおける、環境温度および消費電力と、冷却ファン２の駆動条件とを関連付けた冷却動作情報を示した図である。第２の実施例において、駆動条件は駆動電圧であり、駆動電圧の増加に応じて回転速度が増加する。強冷却動作モードにおいて、環境温度が高いほど、冷却ファン２の駆動電圧は高くなる。また、消費電力が高いほど、冷却ファン２の駆動電圧は高くなる。ファン制御回路基板３は、冷却動作情報と、環境温度および消費電力とを用いて、強冷却動作モードにおける冷却ファン２の駆動条件を決定し、冷却ファン２の動作を制御する。
【００５７】
図４に示した通常動作モードにおける駆動電圧と比較すると、同一の環境温度および消費電力では、通常動作モードよりも強冷却動作モードのほうが駆動電圧が高くなる。つまり、同一の環境温度および消費電力では、通常動作モードよりも強冷却動作モードのほうが冷却ファン２の回転速度が大きくなる。したがって、通常動作モードで動作した冷却ファン２よりも、強冷却動作モードで動作した冷却ファン２のほうが、冷却効率が高く、かつ冷却ファン２から発せられる音も大きくなる。
【００５８】
また、Ｓ２１で強冷却フラグがＯＦＦでないと判定された場合、ファン制御回路基板３は、モード変更信号が検出され静音期間が経過したのちに、さらに強冷却期間が経過したか否かを判定する（Ｓ２４）。
【００５９】
強冷却期間が経過したと判定された場合（Ｓ２４、Ｙｅｓ）、ファン制御回路基板３は、冷却ファン２の動作モードを通常動作モードに変更し、強冷却フラグをＯＦＦとする（Ｓ２５）。通常動作モードにおける冷却ファン２の動作モードの駆動条件の決定方法は第１の実施例におけるＳ１３と同様であるので、説明を省略する。一方、Ｓ２４で強冷却期間が経過していないと判定された場合（Ｓ２４、Ｎｏ）、ファン制御回路基板３は強冷却動作モードで引き続き冷却ファン２の動作を制御する。
【００６０】
図１０は、上述のフローを用いて冷却ファン２を制御した場合における、電子部品１４の温度変化を示した模式図である。環境温度および消費電力は第１の実施例と同様の温度で一定であるとする。実線は、第２の実施例における電子部品１４の温度変化を示している。破線は、第１の実施例における電子部品１４の温度変化を比較のために示している。ｔａより前は、静音フラグおよび強冷却フラグともにＯＦＦであり、かつモード変更信号が検出されていない状態である。ｔｂまでは、第１の実施例と同様の制御および温度変化であるため、説明を省略する。
【００６１】
ｔｂで、モード変更信号が検出されてから静音期間が経過したことに応じて、ファン制御回路基板３は、冷却ファン２の動作モードを静音動作モードから強冷却動作モードに変更する。通常動作モードよりも冷却効率の高い強冷却動作モードで冷却ファン２が動作することにより、静音期間中に上昇した電子部品１４の温度は第１の実施例と比べて速やかに低下し、ｔｃ’でｔａより前の定常状態の温度に到達する。ｔｂからｔｃ’までの時間は、ｔｂからｔｃまでの時間よりも短く、通常動作モードよりも、短時間で冷却が完了する。
【００６２】
強冷却動作モードで動作する冷却ファン２から発せられる音は、通常動作モードで動作する冷却ファン２から発せられる音よりも大きい。しかし、ファン制御回路基板３が、環境温度および消費電力に応じて、好適な強冷却期間を設定することにより、冷却ファン２から発せられる音が大きくなる期間が抑制される。
【００６３】
第２の実施例における画像表示装置によれば、ファン制御回路基板３は、モード変更信号を検出したことに応じて、消費電力と環境温度とを用いて静音動作モードで動作可能な静音期間を決定する。そして、ファン制御回路基板３は、静音期間の間、冷却ファン２を通常動作モードよりも回転速度の小さい静音動作モードで動作するように制御する。さらに、静音期間のあとに強冷却動作モードで動作する強冷却期間を、消費電力と環境温度とに応じて決定する。
【００６４】
したがって、第２の実施例にける画像表示装置によれば、電子部品の近傍に温度センサを設けない場合においても、冷却ファンから発生する音を抑制し、かつ、画像表示装置内の電子部品が高温になることを抑制することが可能となる。さらに、第２の実施例にける画像表示装置によれば、速やかに画像表示装置の内部の温度を冷却し、かつ冷却ファン２から発せられる音の増加の影響を抑制することが可能となる。
【００６５】
（第３の実施例）
第３の実施例における画像表示装置１００のファン制御回路基板３以外の構成要素は、第２の実施例と同様の構成であるので説明を省略する。第３の実施例において、ファン制御回路基板３は、第２の実施例と同様に、通常動作モードと静音動作モードと強冷却動作モードとのいずれかの動作モードで、冷却ファン２の動作を制御する。ファン制御回路基板３は、強冷却動作モードで冷却ファン２を動作させる強冷却期間内において、環境温度と消費電力と用いて、強冷却期間と強冷却動作モードの駆動条件を更新することが第２の実施例と異なる。
【００６６】
図１１は、第３の実施例におけるファン制御回路基板３のファン制御フローをしめすフローチャートである。Ｓ１１からＳ１７、Ｓ２１からＳ２４の各工程は第１の実施例および第２の実施例と同様であるので、説明を省略する。Ｓ２４で、強冷却期間が経過していないと判定された場合（Ｓ２４、Ｎｏ）、ファン制御回路基板３は、ファン制御回路基板３は、環境温度および消費電力を取得し、記憶部１６から取得した強冷却期間情報を用いて、強冷却期間を決定する（Ｓ３１）。
【００６７】
さらに、ファン制御回路基板３は、環境温度と、消費電力とを用いて、強冷却動作モードにおける冷却ファン２の駆動条件を決定する（Ｓ３２）。強冷却動作モードにおける駆動条件の決定方法は、Ｓ２３と同様であるので説明を省略する。
【００６８】
図１２は、上述のフローを用いて冷却ファン２を制御した場合における、電子部品１４の温度変化を示した模式図である。図１２において、ｔｄの前後で環境温度が低下している。図１２中の実線は、第３の実施例におけるフローを用いて冷却ファン２を制御した場合の電子部品１４の温度、および冷却ファン２の駆動電圧を示している。図１２中の破線は、第２の実施例におけるフローを用いて冷却ファンを制御した場合の電子部品１４の温度および冷却ファン２の駆動電圧を示した比較例である。ｔｂまでは第１の実施例および第２の実施例とどうようの制御および温度変化であるため説明を省略する。
【００６９】
ｔｂでモード変更信号が検出されてから静音期間が経過したことに応じて、ファン制御回路基板３は、冷却ファン２の動作モードを静音動作モードから強冷却動作モードに変更する。ｔｄで、環境温度が低下することから、ファン制御回路基板３は、冷却動作情報に基づいて、冷却ファン２の駆動条件と強冷却期間とを更新する。具体的にはファン制御回路基板３は、冷却ファン２の駆動電圧と強冷却期間とを下げる。
【００７０】
冷却ファン２の駆動電圧が下がることにより、冷却ファン２の回転速度が低下し、冷却ファン２から発せられる音が小さくなる。一方で、冷却ファン２が、筐体５へ送る外気の量が低下するが、環境温度が下がっていることから、電子部品１４の冷却効率の低下は抑制される。ｔｅで、電子部品１４の温度は、ｔａより前の定常状態の温度に到達する。
【００７１】
一方で、第２の実施例のフローで冷却ファン２を制御した場合、強冷却期間内に環境温度が低下しても強冷却期間および強冷却動作モードの駆動条件は、ｔｂで決定したものと同様である。したがって、ｔｄ以降、環境温度が下がることにより、電子部品１４の冷却効率が上昇し、ｔｆで電子部品１４の温度がｔａより前の定常状態の温度に到達する。ただし、強冷却期間はｔｂからｔｃ’までであることから、ｔｆからｔｃ’の間は、冷却ファン２の回転速度が高いまま駆動し続けてしまう。
【００７２】
第３の実施例における画像表示装置によれば、ファン制御回路基板３は、モード変更信号を検出したことに応じて、消費電力と環境温度とを用いて静音動作モードで動作可能な静音期間を決定する。そして、第３の実施例における画像表示装置によれば、ファン制御回路基板３は、静音期間の間、冷却ファン２を通常動作モードよりも回転速度の小さい静音動作モードで動作するように制御する。さらに、静音期間のあとに強冷却動作モードで動作する強冷却期間を、消費電力と環境温度とに応じて決定する。
【００７３】
したがって、第３の実施例における画像表示装置によれば、電子部品の近傍に温度センサを設けない場合においても、冷却ファンから発生する音を抑制し、かつ、画像表示装置内の電子部品が高温になることを抑制することが可能となる。さらに、第３の実施例における画像表示装置によれば、強冷却期間および強冷却動作モードの駆動条件を、環境温度や消費電力に応じて更新することで、冷却ファン２から発せられる音を低減しつつ好適な冷却を行うことが可能となる。
【符号の説明】
【００７４】
１００  画像表示装置
１  表示モジュール
２  冷却ファン
３  ファン制御回路基板
４  環境温度センサ
【図１】
0006594116.tif 000002
【図２】
0006594116.tif 000003
【図３】
0006594116.tif 000004
【図４】
0006594116.tif 000005
【図５】
0006594116.tif 000006
【図６】
0006594116.tif 000007
【図７】
0006594116.tif 000008
【図８】
0006594116.tif 000009
【図９】
0006594116.tif 000010
【図１０】
0006594116.tif 000011
【図１１】
0006594116.tif 000012
【図１２】
0006594116.tif 000013